(57)【要約】【課題】商品の偽造を確実に検出することのできるシステムを提供する。【解決手段】固有のランダムなパターンが形成されたラベル１と、ラベル１を撮影したデジタル画像データにデジタル署名を施した第１の固定長符号データが格納されたＲＦＩＤ２とが商品４０に貼り付けられる。携帯端末１０は、カメラ部１２で取り込んだデジタル画像データおよびＲＦＩＤリーダ１３で読み取った第１の固定長符号データをサーバ２０へ送信して商品４０の偽造の検証を要求し、該要求に応じてサーバ２０から供給される検証結果を表示部１６に表示する。サーバ２０は、携帯端末１０からの検証要求に応じて、携帯端末１０から受信したデジタル画像データに上記デジタル署名を施して第２の固定長符号データを生成し、該第２の固定長符号データが携帯端末１０から受信した第１の固定長符号データと一致するか否かを判定し、その結果を携帯端末１０に供給する。【選択図】図１
2007272283.tif 000002
【特許請求の範囲】
【請求項１】
商品に固有のランダムなパターンが形成されたラベルと、
前記ラベルを撮影したデジタル画像データにデジタル署名を施した第１の固定長符号データが記録され、前記ラベルとセットで使用される情報記録部と、
携帯端末と、
前記携帯端末がネットワークを介して接続されるサーバと、を有し、
前記携帯端末は、
表示部と、
前記ラベルの画像を取り込むためのカメラ部と、
前記情報記録部から前記第１の固定長符号データを読み取るリーダと、
前記カメラ部で取り込んだデジタル画像データおよび前記リーダで読み取った前記第１の固定長符号データを前記サーバへ送信して前記商品の偽造の検証を要求し、該要求に応じて前記サーバから供給される検証結果を前記表示部に表示する制御部と、を有し、
前記サーバは、前記携帯端末からの検証要求に応じて、該携帯端末から受信した前記デジタル画像データに前記デジタル署名を施して第２の固定長符号データを生成し、該第２の固定長符号データが前記携帯端末から受信した前記第１の固定長符号データと一致するか否かを検証し、該検証結果を前記携帯端末に供給する、ことを特徴とする偽造検出システム。
【請求項２】
商品に固有のランダムなパターンが形成されたラベルと、
前記ラベルを撮影したデジタル画像データにデジタル署名を施した第１の固定長符号データが記録され、前記ラベルとセットで使用される情報記録部と、
携帯端末と、を有し、
前記携帯端末は、
表示部と、
前記ラベルの画像を取り込むためのカメラ部と、
前記情報記録部から前記第１の固定長符号データを読み取るリーダと、
前記カメラ部で取り込んだデジタル画像データに前記デジタル署名を施して第２の固定長符号データを生成するデジタル署名部と、
前記デジタル署名部で生成した第２の固定長符号データが前記リーダで読み取った前記第１の固定長符号データと一致するか否かを判定する比較部と、
前記比較部での判定の結果を前記表示部に表示する制御部と、を有することを特徴とする偽造検出システム。
【請求項３】
前記情報記録部が、前記第１の固定長符号データが予め格納されたメモリを備える無線タグである、請求項１または２に記載の偽造検出システム。
【請求項４】
前記商品に固有のランダムなパターンが、前記無線タグを前記ラベルに貼り合わせることで形成されている、請求項３に記載の偽造検出システム。
【請求項５】
前記情報記録部が、前記第１の固定長符号データがバーコード情報として記録されたバーコードである、請求項１または２に記載の偽造検出システム。
【請求項６】
表示部と、
商品に固有のランダムなパターンが形成されたラベルの画像を取り込むためのカメラ部と、
前記ラベルを撮影したデジタル画像データにデジタル署名を施した第１の固定長符号データが記録され、前記ラベルとセットで使用される情報記録部から、前記第１の固定長符号データを読み取るリーダと、
前記カメラ部で取り込んだデジタル画像データに前記デジタル署名を施して第２の固定長符号データを生成するデジタル署名部と、
前記デジタル署名部で生成した前記第２の固定長符号データが前記リーダで読み取った前記第１の固定長符号データと一致するか否かを判定する比較部と、
前記比較部での判定の結果を前記表示部に表示する制御部と、を有することを特徴とする携帯型の偽造検出装置。
【請求項７】
商品に固有のランダムなパターンが形成されたラベルを撮影したデジタル画像データにデジタル署名を施した第１の固定長符号データが記録され、前記ラベルとセットで使用される情報記録部から、前記第１の固定長符号データを読み取るリーダと、前記ラベルの画像を取り込むためのカメラ部と、を有する携帯端末と、ネットワークを介して接続されるサーバであって、
前記携帯端末から供給される、前記カメラ部で取り込んだデジタル画像データに前記デジタル署名を施して第２の固定長符号データを生成するデジタル署名部と、
前記携帯端末から供給される、前記リーダで読み取った前記第１の固定長符号データが、前記デジタル署名部で生成した前記第２の固定長符号データと一致するか否かを判定し、該判定結果を前記携帯端末に供給する比較部と、を有するサーバ。
【請求項８】
商品に固有のランダムなパターンが形成されたラベルを撮影したデジタル画像データにデジタル署名を施した第１の固定長符号データが記録され、前記ラベルとセットで使用される情報記録部から、前記第１の固定長符号データを読み取る第１のステップと、
前記ラベルをカメラで撮影してデジタル画像データを得る第２のステップと、
前記第２のステップで得られたデジタル画像データに前記デジタル署名を施して第２の固定長符号データを生成する第３のステップと、
前記第３のステップで生成した第２の固定長符号データが前記第１のステップで読み取った第１の固定長符号データと一致するか否かを判定する第４のステップと、
前記第４のステップでの判定の結果を表示する第５のステップと、を含む、偽造検出方法。
【請求項９】
商品に固有のランダムなパターンが形成されたラベルを撮影したデジタル画像データにデジタル署名を施した第１の固定長符号データが記録され、前記ラベルとセットで使用される情報記録部から、前記第１の固定長符号データを読み取る第１の処理と、
前記ラベルをカメラで撮影してデジタル画像データを得る第２の処理と、
前記第２の処理で得られたデジタル画像データに前記デジタル署名を施して第２の固定長符号データを生成する第３の処理と、
前記第３の処理で生成した第２の固定長符号データが前記第１の処理で読み取った第１の固定長符号データと一致するか否かを判定する第４の処理と、
前記第４の処理での判定の結果を表示する第５の処理と、をコンピュータに実行させるプログラム。
【請求項１０】
商品に固有のランダムなパターンが形成されたラベルを撮影したデジタル画像データにデジタル署名を施した第１の固定長符号データが記録され、前記ラベルとセットで使用される情報記録部から、前記第１の固定長符号データを読み取るリーダと、前記ラベルの画像を取り込むためのカメラ部と、を有する携帯端末と、ネットワークを介して接続されるサーバにおいて用いられるプログラムであって、
前記携帯端末から供給される、前記カメラ部で取り込んだデジタル画像データに前記デジタル署名を施して第２の固定長符号データを生成する第１の処理と、
前記携帯端末から供給される、前記リーダで読み取った第１の固定長符号データが、前記第１の処理で生成した第２の固定長符号データと一致するか否かを判定する第２の処理と、
前記第２の処理での判定結果を前記携帯端末に供給する第３の処理と、を前記サーバのコンピュータに実行させるプログラム。
【請求項１１】
商品に固有のランダムなパターンを生成するパターン生成部と、
前記パターン生成部で生成したランダムなパターンをラベルに印刷するプリンタ部と、
前記プリンタ部で印刷されたラベルの画像を取り込むためのカメラ部と、
前記カメラ部で取り込んだデジタル画像データにデジタル署名を施して固定長符号データを生成するデジタル署名部と、
前記デジタル署名部で生成された固定長符号データを無線タグに書き込む無線タグ書き込み部と、を有するラベル製造装置。
【発明の詳細な説明】
【技術分野】
【０００１】
本発明は、酒、化粧品、ハンドバックなどの商品の偽造を検出するシステムに関する。
【背景技術】
【０００２】
様々な商品が偽造され、市場に出回っている。このような偽造品の中には、ユーザ側で正当な商品との区別を判断することが困難なものもある。そこで、商品の偽造を検出することのできるシステムの開発の要求が高まっている。
【０００３】
特許文献１には、ラベルの偽造を検出することのできるシステムが記載されている。このシステムでは、ラベルを発行する際に、時刻情報とラベル固有情報を暗号化した暗号化情報がラベルに印刷されるとともに、その暗号化情報が、第三者機関（時刻認証機関）に予め送付される。消費者は、ラベルに印刷された暗号化情報を第三者機関（時刻認証機関）に提示して問い合わせる。第三者機関は、消費者から提示された暗号化情報と予め送付されていた暗号化情報とに基づいてラベルの正当性を判断し、その判断結果を消費者に提供する。
【特許文献１】特開２００２−２９２９６９号公報
【発明の開示】
【発明が解決しようとする課題】
【０００４】
しかしながら、上述した特許文献１に記載のシステムでは、ラベルに記載された情報の正当性を判断するに留まっており、そのラベルのコピーを別の商品に貼り付けて販売した場合には、その商品が偽造であるか否かを消費者が判断することは困難である。
【０００５】
本発明の目的は、上記問題を解決し、商品の偽造を確実に検出することのできるシステムを提供することにある。
【課題を解決するための手段】
【０００６】
上記目的を達成するため、本発明の偽造検出システムは、
商品に固有のランダムなパターンが形成されたラベルと、
前記ラベルを撮影したデジタル画像データにデジタル署名を施した第１の固定長符号データが記録され、前記ラベルとセットで使用される情報記録部と、
携帯端末と、
前記携帯端末がネットワークを介して接続されるサーバと、を有し、
前記携帯端末は、
表示部と、
前記ラベルの画像を取り込むためのカメラ部と、
前記情報記録部から前記第１の固定長符号データを読み取るリーダと、
前記カメラ部で取り込んだデジタル画像データおよび前記リーダで読み取った前記第１の固定長符号データを前記サーバへ送信して前記商品の偽造の検証を要求し、該要求に応じて前記サーバから供給される検証結果を前記表示部に表示する制御部と、を有し、
前記サーバは、前記携帯端末からの検証要求に応じて、該携帯端末から受信した前記デジタル画像データに前記デジタル署名を施して第２の固定長符号データを生成し、該第２の固定長符号データが前記携帯端末から受信した前記第１の固定長符号データと一致するか否かを検証し、該検証結果を前記携帯端末に供給する、ことを特徴とする。
【０００７】
上記の構成によれば、商品（品物自体または箱）に貼り付けられるラベルには、その商品に固有のランダムなパターンが形成される。このランダムなパターンは、人間でいうところの指紋であり、１つの商品に唯一のパターンである。また、商品には、そのランダムなパターンを含む部分のデジタル画像データにデジタル署名を施した固定長符号データが検証データとして記録された情報記録部（例えばＲＦＩＤ［Radio Frequency Identification］）が貼り付けられる。
【０００８】
商品の偽造を検出する際は、携帯端末を使用して、所望の商品のラベルに印刷されたランダムなパターンを含む部分の画像を取り込むととともに、その商品に貼り付けられた情報記録部から検証データを読み取る。そして、携帯端末から、その取り込んだ画像のデジタル画像データおよびその取得した検証データをサーバに送信する。サーバでは、携帯端末から受信したデジタル画像データにデジタル署名を施して固定長符号データが生成され、該固定長符号データが携帯端末から受信した検証データと一致するか否かの判定が行われる。
【０００９】
ラベルが偽造された場合は、その画像データから生成される固定長符号データが、正当なラベルの画像データから生成した固定長符号データ、すなわち情報記録部から読み取った検証データと異なるため、サーバでの判定は不一致となる。
【００１０】
情報記録部の検証データが改ざんされた場合は、その検証データは、正当なラベルの画像データから生成された固定長符号データと異なるため、サーバでの判定は不一致となる。
【００１１】
ラベルおよび情報記録部の双方が偽造された場合も、サーバでの判定は不一致となる。
【００１２】
なお、正当なラベルをカメラで撮影して、その画像データに基づいてインクジェットプリンタでラベルの印刷を行った場合でも、その印刷したラベル（複製）から取り込んだ画像データから生成される固定長符号データは、正当なラベルの画像データから生成した固定長符号データ（検証データ）と異なる。以下に、その理由を具体的に説明する。
【００１３】
例えば、携帯端末のカメラ部の画素数を４００万程度とすると、本発明のシステムでは、およそ２μｍの精度で、パターンの偽造を検出することが可能である。元のパターンから２μｍの精度でパターンを複製することは、市販のインクジェットプリンタ等のプリンタでは困難である。例えば、正当なラベルを画素数が４００万程度のカメラで撮影して、その画像データに基づいてインクジェットプリンタでラベル（コピー）の印刷を行った場合は、現在市販されているインクジェットプリンタの解像度では、画像データが圧縮された状態で印刷を行うこととなる。このため、２μｍの精度でパターンを複製することは困難である。
【発明の効果】
【００１４】
本発明によれば、ラベルおよび情報記録部（例えばＲＦＩＤ）の少なくとも一方が偽造または改ざんされた場合には、そのことが検出されるので、商品の偽造を確実に検出することができる。
【発明を実施するための最良の形態】
【００１５】
次に、本発明の実施形態について図面を参照して説明する。
【００１６】
図１は、本発明の一実施形態である偽造検出システムの概略構成を示すブロック図である。図１を参照すると、偽造検出システムは、偽造検出対象である商品４０に貼られるラベル１およびＲＦＩＤ２と、携帯端末１０と、サーバ２０とを有する。
【００１７】
ラベル１およびＲＦＩＤ２は、製造過程において、製造業者によって商品の貼り付けられるものである。ラベル１は、商品の情報が印刷された部分と、ユニークな情報（画像や傷など）が形成された部分とを有する。
【００１８】
ユニークな情報は、ラベルに唯一の情報であり、例えば、ラベル貼り付けの作業者が、ラベルに決められた文字や記号を手書きで書き込むことで実現する。この他、インクジェットプリンタを用いて、ランダムなパターンをラベル毎に印刷することで、ユニークな情報を形成することができる。
【００１９】
ＲＦＩＤ２は、無線アンテナ、メモリ、ＩＣなどを搭載する既存の無線タグであって、メモリには、商品の正当性を検証するためのデータとして、ラベル１に形成されたユニークな情報が形成された部分を含むデジタル画像データにデジタル署名を施して得られた固定長符号データが格納されている。製造過程において、作業者が、コンピュータ端末（具体的には、後述するラベル製造装置）を用いて、検証用データを作成してＲＦＩＤ２に格納する。
【００２０】
デジタル署名は、具体的には、ダイジェスト関数を用いたデジタル署名である。ダイジェスト関数は、任意の長さの入力ビットデータ列（デジタル画像データで、例えばＪＰＥＧ方式で圧縮した画像データ）を、ある固定長の小さなサイズのデータ列に縮約するための関数である。このデジタル署名により、任意長のデジタル画像データを６４ビット〜２０４８ビット程度の固定長の符号データにすることができる。
【００２１】
携帯端末１０は、携帯電話機や携帯情報端末などであって、カメラ部１２、ＲＦＩＳリーダ１３、操作部１４、記憶部１５、表示部１６、通信部１７、および操作部１４からの入力を受け付けて各部の動作を制御する制御部１１からなる。
【００２２】
カメラ部１２は、複数の撮像素子と、これら撮像素子からのアナログデータをＡ／Ｄ変換するＡ／Ｄ変換部とを有し、デジタル画像データを出力する。ここでは、カメラ部１２は、例えば撮像素子の数（画素数）が４００万程度のカメラ性能を有し、デジタル画像データとして例えばＪＰＥＧ方式で圧縮したデータを出力する。ＲＦＩＤリーダ１３は、ＲＦＩＤ２との間で無線による通信が可能とされ、ＲＦＩＤ２から検証用データを読み出すことが可能である。
【００２３】
操作部１４は、ボタンやタッチパネルなどにより構成される。記憶部１５は、半導体メモリであって、携帯端末１０を動作させるために必要なデータやプログラムが格納される。表示部１６は、液晶表示デバイスなどにより構成される。通信部１７は、ネットワークを介してサーバ２０と接続される。ネットワークは、移動通信網や公衆網などを含むものであって、インターネットなどを適用してもよい。
【００２４】
サーバ２０は、偽造判定部２２、操作部２３、記憶部２４、表示部２５、通信部２６、および操作部２３からの入力を受け付けて各部の動作を制御する制御部２１からなる。操作部２３は、キーボードやマウスなどにより構成される。記憶部２４は、半導体メモリやハードディスクより構成されるものであって、サーバ２０を動作させるために必要なデータやプログラムが格納される。表示部２５は、液晶表示デバイスなどにより構成される。通信部２６は、ネットワークを介して携帯端末１０と接続される。
【００２５】
偽造判定部２２は、デジタル署名部２２ａおよび比較部２２ｂからなる。デジタル署名部２２ａは、携帯端末１０から供給されるデジタル画像データにデジタル署名を施すことで固定長符号データを生成する。このデジタル署名も、上述したダイジェスト関数を用いたデジタル署名であり、ダイジェストを生成するためのハッシュ関数およびダイジェストを暗号化するための暗号鍵（秘密鍵）は、ＲＦＩＤに格納する検証データで使用したものと同じである。比較部２２ｂは、携帯端末１０からの検証要求に応じて、携帯端末１０から供給される検証用データがデジタル署名部２２ａで生成された固定長符号データと一致するか否かを判定し、その比較結果を携帯端末１０に供給する。
【００２６】
次に、本実施形態の偽造検出システムの動作について説明する。図２に、偽造検出システムの動作を説明するためのシーケンス説明図を示す。以下、図１および図２を参照して、偽造検出処理を説明する。
【００２７】
ユーザは、携帯端末１０を用いて商品の偽造判定を行う。偽造判定において、ユーザは、まず、操作部１４にて偽造検出処理を実行するための入力を行う。制御部１１は、操作部１４から偽造検出処理を実行する旨の入力を受け付けると、偽造検出用の操作画面情報を記憶部１５から読み出して表示部１６に表示する（ステップＳ１００）。偽造検出用の操作画面には、カメラ部１２を使用してラベル画像を撮影し、その撮影画像データをサーバ２０へ送信する画像送信項目と、ＲＦＩＤリーダ１３を使用してＲＦＩＤ２から検証データを取得し、その取得した検証データをサーバ２０へ送信する検証データ送信項目とがあり、ユーザは、それら項目を選択して操作部１４上で必要な入力操作を行う。
【００２８】
ユーザが画像送信項目を選択すると、制御部１１は、カメラ部１２による撮影を実行するための画面を表示部１６に表示する。ユーザは、その撮影画面上で、商品に貼り付けられているラベル１の画像が表示されるように、カメラ部１２による画像の取り込みを行う（ステップＳ１０１）。ラベル１の画像の取り込みを行った後、ユーザが、画像送信を実行する旨の入力操作を行うと、制御部１１が、カメラ部１２で取り込んだ画像をサーバ２０へ送信する。
【００２９】
サーバ２０では、携帯端末１０からの画像データが通信部２６にて受信される（ステップＳ１０２）。受信画像データは、制御部２１を通じて偽造判定部２２のデジタル署名部２２ａに供給される。
【００３０】
画像データの送信後、ユーザが検証データ送信項目を選択すると、制御部１１は、ＲＦＩＤリーダ１３を起動して、ＲＦＩＤ２から検証データを取得する（ステップＳ１０３）。そして、制御部１１は、その取得した検証データをサーバ２０へ送信する。
【００３１】
サーバ２０では、携帯端末１０からの検証データが通信部２６にて受信される（ステップＳ１０４）。受信検証データは、制御部２１を通じて偽造判定部２２の比較部２２ｂに供給される。
【００３２】
画像データおよび検証データを受信したサーバ２０では、まず、デジタル署名部２２ａが携帯端末１０からの受信画像データにデジタル署名を施して固定長符号データを生成する（ステップＳ１０５）。そして、比較部２２ｃが、携帯端末１０からの検証用データ（ＲＦＩＤ２から取得した検証データ）がデジタル署名部２２ａで生成された固定長符号データと一致するか否かを判定し（ステップＳ１０６）、その結果を携帯端末１０に供給する。検証用データが固定長符号データと一致した場合は、本物である旨を示すメッセージが検証結果として携帯端末１０へ送信され、検証用データが固定長符号データと一致しない場合は、偽造品である旨を示すメッセージが検証結果として携帯端末１０へ送信される。
【００３３】
携帯端末１０では、サーバ２０からの検証結果（メッセージ）が通信部１７にて受信される。制御部１１は、通信部１７で受信した検証結果を表示部１６に表示する（ステップＳ１０７）。この表示に基づいて、ユーザは、商品が偽造品であるか否かを認識する。
【００３４】
次に、製造業者にて使用されるラベル製造装置について説明する。図３に、ラベル製造装置の概略構成を示す。
【００３５】
図３を参照すると、ラベル製造装置は、カメラ部３２、ＲＦＩＤリーダ／ライタ３３、操作部３４、記憶部３５、表示部３６、通信部３７、デジタル署名部３８、出力部３９、パターン生成部４０、乱数発生部４１および操作部３４からの入力を受け付けて各部の動作を制御する制御部３１からなる。
【００３６】
カメラ部３２は、携帯端末１０のカメラ部１２と基本的には同じものである。ＲＦＩＤリーダ／ライタ３３は、ＲＦＩＤ２に対してデータの書き込みおよび読み出しを行うことができる。操作部３４は、マウスやキーボードなどよりなる。記憶部３５は、半導体メモリやハードディスクより構成されるものであって、ラベル製造装置を動作させるために必要なデータやプログラムが格納される。表示部３６は、液晶表示デバイスなどにより構成される。通信部３７は、インターネットなどのネットワークへの接続が可能である。
【００３７】
デジタル署名部３８は、サーバ２０のデジタル署名部２２ａと基本的に同じものであって、カメラ部３２から供給される画像データにデジタル署名を施して固定長符号データを生成する。制御部３１は、このデジタル署名部３８で生成された固定長符号データを検証データとして、ＲＦＩＤリーダ／ライタ３３を通じて、ＲＦＩＤ２に書き込む。
【００３８】
出力部３９は、例えばインクジェットプリンタより構成されるものであって、セットされたラベル１に対してランダムなパターンやラベル情報（製品名、ラベル画像、製造元など商品に関する情報）の記録を行うものである。乱数発生部４１は、乱数を発生する。パターン生成部４０は、乱数発生部４１からの乱数に基づいて、ランダムなパターンを発生する。制御部３１は、記憶部３５からラベル情報を読み出し、その読み出したラベル情報を出力部３９に供給する。また、制御部３１は、パターン生成部４０で生成したランダムなパターンを出力部３９に供給させる。
【００３９】
次に、上記のラベル製造装置の動作について具体的に説明する。図４に、ラベル製造装置の動作を説明するためのフローチャートを示す。
【００４０】
作業者が、出力部３９にラベルをセットし、操作部３４にて、ラベル情報をラベルに印刷する旨の入力操作を行うと、制御部３１は、記憶部３５からラベル情報を読み出し、その読み出したラベル情報を出力部３９に供給する。出力部３９は、セットされたラベルに、供給されたラベル情報を印刷する（ステップＳ２０１）。
【００４１】
次いで、作業者が、操作部３４にてランダムなパターンをラベルに印刷する旨の入力操作を行うと、制御部３１は、パターン生成部４０で生成したランダムなパターンを出力部３９に供給させる。出力部３９は、ラベル情報が印刷されたラベルに、供給されたランダムなパターンを印刷する（ステップＳ２０２）。
【００４２】
ラベル情報およびパターンがラベルに印刷された後、作業者が、そのラベルを、カメラ部３２による撮像が可能なポジションにセットし、操作部３４にて、画像を取り込むための入力操作を行うと、制御部３１は、カメラ部３２を起動して画像の取り込み処理を実行する（ステップＳ２０３）。次いで、デジタル署名部３８が、カメラ部３２で取り込まれた画像データにデジタル署名を施すことで固定長符号データを生成する（ステップＳ２０４）。制御部３１は、このデジタル署名部３８で生成された固定長符号データを検証データとして、ＲＦＩＤリーダ／ライタ３３を通じて、予め用意したＲＦＩＤ２に書き込む（ステップＳ２０５）。
【００４３】
最後に、作業者は、ラベル情報およびランダムなパターンが印刷されたラベル１と、検証用データが書き込まれたＲＦＩＤ２とをセットとして商品の所定の箇所に貼り付ける。
【００４４】
なお、ラベルへのランダムなパターンの印刷に代えて、作業者が、ラベル情報が印刷されたラベルに所望の文字または記号を手書きで書き込むようにしてもよい。
【００４５】
以上の本実施形態の偽造検出システムによれば、ラベル１が偽造された場合は、その画像データから生成される固定長符号データが、ＲＦＩＤ２から読み取った検証データと異なるため、サーバ２０での判定が不一致となる。また、ＲＦＩＤ２に格納されている検証データが改ざんされた場合は、その検証データは、ラベル１の画像データから生成された固定長符号データと異なるため、サーバ２０での判定は不一致となる。ラベル１およびＲＦＩＤ２の双方が偽造された場合も、サーバ２０での判定は不一致となる。
【００４６】
また、本実施形態の偽造検出システムにおいて、携帯端末１０のカメラ部１２は４００万画素での画像撮影が可能であるので、その撮影画像上では、大よそ２μｍの精度で画像の偽造を検出することが可能である。例えば、ラベルのコピーをインクジェットなどの市販のプリンタで複製する場合、プリンタの解像度の関係から、２μｍの精度で画像を複製することは困難である。
【００４７】
上述した本実施形態の偽造検出システムは、本発明の一例であり、その構成および動作は、発明の趣旨を逸脱しない範囲で適宜に変更することができる。例えば、ＲＦＩＤ２に代えてバーコードを用いてもよい。この場合は、検証データに対応するバーコード情報がラベル１に印刷される。携帯端末１０では、ＲＦＩＤリーダに代えてバーコードリーダが用いられる。
【００４８】
また、携帯端末１０に、サーバ２０の偽造判定部を設けて、携帯端末１０単体（携帯型の偽造検出装置）で偽造判定を行うようにしてもよい。
【００４９】
さらに、カメラ部１２、３２で取り込んだデジタル画像データに電子透かしを施してもよい。
【００５０】
さらに、ＲＦＩＤやバーコードをラベルに重畳して貼るようにして、この重畳して貼り合わせた部分の画像をユニークな画像情報として用いてもよい。ＲＦＩＤ２の大きさは数ミリ程度であるので、手で貼り付けることが可能である。手で貼り付けた場合は、その貼り付け方は人様々であり、２μｍの精度で、全く同じ貼り付け方を人間の手で行うのは困難である。
【００５１】
また、ラベル上に円の局座標が描かれた部分を設け、この部分にランダムなパターンやＲＦＩＤを貼るようにしてもよい。
【００５２】
ラベル１とＲＦＩＤ２はセットで使用される。これらラベル１およびＲＦＩＤ２は、品物自体に貼り付けてもよいし、複数の品物が収納された箱に貼り付けてもよい。
【図面の簡単な説明】
【００５３】
【図１】本発明の一実施形態である偽造検出システムの概略構成を示すブロック図である。
【図２】図１に示す偽造検出システムの動作を説明するための図である。
【図３】本発明の偽造検出システムに用いるラベルを製造する装置の概略構成を示すブロック図である。
【図４】図３に示すラベル製造装置の動作を説明するためのフローチャートである。
【符号の説明】
【００５４】
１  ラベル
２  ＲＦＩＤ
１０  携帯端末
１１、２１  制御部
１２  カメラ部
１３  ＲＦＩＤリーダ
１４、２３  操作部
１５、  ２４  記憶部
１６、２５  表示部
１７、２６  通信部
２０  サーバ
２２  偽造判定部
２３ａ  デジタル署名部
２３ｂ  比較部
【図１】
2007272283.tif 000003
【図２】
2007272283.tif 000004
【図３】
2007272283.tif 000005
【図４】
2007272283.tif 000006